(57)【要約】【課題】ハンドシャワーの手元スイッチがオフの場合には、消毒液をハンドシャワーに供給するポンプが作動しないようにする。【解決手段】ハンドシャワー６５で入浴用筐体２を消毒する際において、ハンドシャワー６５の手元スイッチがオフ（湯水の噴射停止）になっている場合には、制御部６８は、フローセンサＦＳからの検知信号に基づいて消毒液８１をハンドシャワー６５の給湯路６６ｄへ供給するチューブポンプＴＰ３を非作動に制御することによって、ハンドシャワー６５の給湯路６６ｄへの消毒液８１の供給を停止することができる。【選択図】　　図５
2004097351.tif 000002
【特許請求の範囲】
【請求項１】
入浴者の身体の少なくとも一部が内部に収容される入浴用筐体と、
前記入浴用筐体の外に設けられて湯水を噴射するハンドシャワーと、
前記ハンドシャワーの供給路に連結されている配管にシャンプー、洗剤、ローション、消毒液等の入浴又は洗浄に用いる液体を供給する液体供給手段と、
前記ハンドシャワーへの湯水の供給制御及び前記液体供給手段の作動制御を行う制御手段を備えた入浴装置であって、
前記ハンドシャワーの、使用者が前記ハンドシャワーを把持する位置もしくはその近傍に設けられた、前記ハンドシャワーから噴射される湯水の噴射度合いを調節可能な調整手段と、
前記調整手段による調整状態を検知する検知手段を有し、
前記ハンドシャワーから湯水と前記液体との混合液を噴射する際に、前記制御手段は、前記検知手段の検知結果に基づいて前記液体供給手段の作動を制御することを特徴とする入浴装置。
【請求項２】
前記検知手段は、前記調整手段が湯水を噴射不可能な状態に調整していると検知した場合には前記液体供給手段を非作動とし、前記調整手段が湯水を噴射可能な状態に調整していると検知した場合には前記液体供給手段を作動させることを特徴とする請求項１に記載の入浴装置。
【請求項３】
前記制御手段と前記調整手段は非連動であり、
前記検知手段は、前記ハンドシャワーの供給路における湯水の流れの状態から前記調整手段の調整状態を検知する流れ検知手段であり、前記流れ検知手段は前記ハンドシャワーの供給路のうち、前記調整手段の上流側に配置されることを特徴とする請求項１又は２に記載の入浴装置。
【請求項４】
前記ハンドシャワーと別に、前記入浴用筐体内に前記制御手段によって供給制御が行われる本体シャワーを有し、
前記流れ検知手段は、前記本体シャワーの供給路と前記ハンドシャワーの供給路との分岐部よりも下流側に配されていることを特徴とする請求項３に記載の入浴装置。
【請求項５】
前記流れ検知手段は、前記ハンドシャワーの供給路を流れる所定量以上の湯水の流れの有無を検知することを特徴とする請求項３又は４に記載の入浴装置。
【請求項６】
前記入浴用筐体には、入浴補助者による入浴補助作業が可能な開口部が設けられていることを特徴とする請求項１乃至５のいずれかに記載の入浴装置。
【発明の詳細な説明】
【０００１】
【発明の属する技術分野】
本発明は、入浴装置に関し、特に高齢者や身体障害者等の要介護者のシャワー入浴に好適なハンドシャワーを有する入浴装置に関する。
【０００２】
【従来の技術】
高齢者や身体障害者等の要介護者用の入浴装置として、入浴用筐体の内側に本体シャワー（複数のシャワーノズル）に設けると共に、入浴用筐体の外にハンドシャワーを設けているものがある。
【０００３】
本体シャワーは、入浴用筐体内の上部及び下部に湯水を噴射する複数のシャワーノズルを有し、入浴用筐体内に仰向けに収容されるシャワー入浴者（被介護者）に対して、入浴補助者（介護者）のシャワー入浴作業により複数のシャワーノズルから噴射される湯水によってシャワー入浴させることができる。また、ハンドシャワーを使用することにより、入浴補助者は入浴用筐体内に仰向けに収容されているシャワー入浴者に対して、任意の部分に湯水を当ててシャワー入浴させることができる。
【０００４】
本体シャワーは、操作装置に設けたスタート・停止スイッチと温度設定スイッチにより湯水噴射のオン／オフと温調調整をそれぞれ行うことができる。また、近年では、入浴補助者のシャワー入浴者に対する入浴補助の利便性等を考慮して、ハンドシャワーのスタート・停止スイッチを操作装置以外にもハンドシャワーのシャワー本体に設けたものがある。
【０００５】
これにより、操作装置のスタート・停止スイッチがオンの状態で湯水が噴射しているときに、入浴補助者はハンドシャワーのシャワー本体のスタート・停止スイッチ（以下、手元スイッチという）を操作して、湯水噴射のオン（湯水の噴射可能状態）とオフ（湯水の噴射停止）の切り替えを行うことができる。
【０００６】
なお、操作装置のスタート・停止スイッチと温度設定スイッチによる動作は電気的に制御されるが、ハンドシャワーの手元スイッチによるオン（湯水の噴射可能状態）とオフ（湯水の噴射停止）の動作は入浴補助者の操作によって機械的に行われる。よって、ハンドシャワーの手元スイッチによる湯水噴射のオンとオフの切り替え動作は、操作装置のスタート・停止スイッチがオンの状態で湯水がハンドシャワーから噴射状態にあるときだけ機能する。
【０００７】
そして、１人の入浴者（被介護者）がシャワー入浴装置でシャワー入浴終了後に、操作装置に設けた消毒液スイッチを押して消毒液を湯水中に供給して、消毒液を混合した湯水を本体シャワー又はハンドシャワーから噴射して入浴用筐体内を消毒し、入浴用筐体内を殺菌消毒してから次の人（被介護者）をシャワー入浴させるようにしている。なお、１日の入浴者の人数に応じて入浴用筐体内の消毒を、所定回数又はその最後の入浴者がシャワー入浴を終えた後に１回だけ行うようにしてもよい。
【０００８】
【発明が解決しようとする課題】
ところで、上記したように消毒液を湯水に混合して入浴用筐体内を殺菌消毒する際に、ハンドシャワーを用いて行う場合には、操作装置のスタート・停止スイッチ及びハンドシャワーのシャワー本体の手元スイッチがそれぞれオンの状態で、消毒液スイッチをオンすることにより、消毒液を供給するためのポンプが駆動され、湯水が流れるハンドシャワーの配管に消毒液が混合されてハンドシャワーから入浴用筐体内に噴射される。
【０００９】
しかしながら、ハンドシャワーの手元スイッチがオフ（湯水の噴射停止）になっている状態のときに、操作装置のスタート・停止スイッチをオンして、消毒液スイッチをオンすると、消毒液はポンプの駆動によりハンドシャワーの配管に供給されるが、手元スイッチがオフになっているので、消毒液はハンドシャワーから噴射されることなくハンドシャワー内とその配管内に留まっている。
【００１０】
この結果、ハンドシャワーから消毒液が噴出不可能な状態になっているにもかかわらず、消毒液を供給するポンプは作動しているので、消毒液がポンプの排出口から排出されることなく吸引口からポンプ内に吸引される状態が続く。この状態が長時間続くと、ポンプに負荷がかかり過ぎてポンプが故障したり破損するおそれがあった。
【００１１】
そこで本発明は、消毒液スイッチをオンにしてもハンドシャワーの手元スイッチがオフの場合には消毒液のハンドシャワーへの供給を防止することができる入浴装置を提供することを目的とする。
【００１２】
【課題を解決するための手段】
上記目的を達成するために本発明は、入浴者の身体の少なくとも一部が内部に収容される入浴用筐体と、前記入浴用筐体の外に設けられて湯水を噴射するハンドシャワーと、前記ハンドシャワーの供給路に連結されている配管にシャンプー、洗剤、ローション、消毒液等の入浴又は洗浄に用いる液体を供給する液体供給手段と、前記ハンドシャワーへの湯水の供給制御及び前記液体供給手段の作動制御を行う制御手段を備えた入浴装置であって、前記ハンドシャワーの、使用者が前記ハンドシャワーを把持する位置もしくはその近傍に設けられた、前記ハンドシャワーから噴射される湯水の噴射度合いを調節可能な調整手段と、前記調整手段による調整状態を検知する検知手段を有し、前記ハンドシャワーから湯水と前記液体との混合液を噴射する際に、前記制御手段は、前記検知手段の検知結果に基づいて前記液体供給手段の作動を制御することを特徴としている。
【００１３】
また、前記検知手段は、前記調整手段が湯水を噴射不可能な状態に調整していると検知した場合には前記液体供給手段を非作動とし、前記調整手段が湯水を噴射可能な状態に調整していると検知した場合には前記液体供給手段を作動させることを特徴としている。
【００１４】
また、前記制御手段と前記調整手段は非連動であり、前記検知手段は、前記ハンドシャワーの供給路における湯水の流れの状態から前記調整手段の調整状態を検知する流れ検知手段であり、前記流れ検知手段は前記ハンドシャワーの供給路のうち、前記調整手段の上流側に配置されることを特徴としている。
【００１５】
また、前記ハンドシャワーと別に、前記入浴用筐体内に前記制御手段によって供給制御が行われる本体シャワーを有し、前記流れ検知手段は、前記本体シャワーの供給路と前記ハンドシャワーの供給路との分岐部よりも下流側に配されていることを特徴としている。
【００１６】
また、前記流れ検知手段は、前記ハンドシャワーの供給路を流れる所定量以上の湯水の流れの有無を検知することを特徴としている。
【００１７】
また、前記入浴用筐体には、入浴補助者による入浴補助作業が可能な開口部が設けられていることを特徴としている。
【００１８】
【発明の実施の形態】
〈実施の形態１〉
以下、本発明を図１〜図８に示す実施の形態１に基づいて説明する。本実施の形態では、本発明に係る入浴装置をシャワー入浴装置に適用したものである。
【００１９】
図１は、本発明の実施の形態１に係るシャワー入浴装置を示す概略構成図であり、本実施の形態のシャワー入浴装置１は、入浴者（被介護者）Ａの身体の首から下の部分を内部に収容する、繊維強化プラスチック（ＦＲＰ）製の入浴用筐体２を備えている。この入浴用筐体２は、入浴者Ａの身体をストレッチャー３上に載上した状態で収容できるように水平方向に細長く形成されており、その長手方向（前後方向）に対して垂直方向の断面形状が筒状となるように形成されている。
【００２０】
ストレッチャー３は、図２（ａ）、（ｂ）に示すように、走行車輪３１ａを有する台車部３１と、その台車部３１の後端側（図２（ｂ）の左側）に立設された上下方向に伸びる支持部３２と、その支持部３２によって後端側が支持されて台車部３１上に位置する担架部３３とで構成されている。支持部３２は、ＤＣモータを駆動源とする上下機構（不図示）を備えており、担架部３３の上下方向の高さを調整できる。
【００２１】
担架部３３は、人間の身体をちょうど囲む程度の長方形状の金属製の枠体３３ａと、該枠体３３ａに架設されたシート３３ｂとを有している。このシート３３ｂには、メッシュ構造等の湯水が通過可能な構造のものが採用されている。また、担架部３３の後端側（図２（ａ）、（ｂ）の左側）には、入浴補助者（介護者）Ｂが把握してストレッチャーを移動させるための左右一対のハンドル３４が取り付けられている。
【００２２】
入浴用筐体２の長手方向の一方の端面（前面）には、図３に示すように、入浴者Ａを入浴用筐体２内に収容するための収容開口部２１が形成されている。この収容開口部２１は、ストレッチャー３の担架部３３ごと入浴者Ａを収容できる大きさに形成されている。また、収容開口部２１は、カーテン２２によって仕切られている。具体的には、収容開口部２１の上縁部内側に沿って、左右方向に２つに分割されたカーテン２２の上端が固定されており、カーテン２２がのれん状に垂れ下がっている。なお、入浴用筐体２の長手方向の収容開口部２１と反対側の端面は閉じている。
【００２３】
入浴用筐体２の収容開口部２１に対して左右両側の側面部には、入浴補助者Ｂが入浴者Ａに対してシャワー入浴の補助を行ったり入浴者Ａの体を拭いたりするための側面開口部２３がそれぞれ形成されている。この各側面開口部２３は、入浴補助者Ｂがその上半身を入れることができる大きさに形成されている。また、入浴用筐体２の左右両側の各側面開口部２３の内側には、側面開口部２３を遮蔽する開閉自在なカーテン２４がそれぞれ設けられている。
【００２４】
具体的には、入浴用筐体２内には、各側面開口部２３の上縁部及び下縁部に沿って、入浴用筐体２の長手方向に上下一対の上カーテンレール２４ａと下カーテンレール２４ｂがそれぞれ固定されており、上カーテンレール２４ａにはカーテン２４の上端部が側面開口部２３に対して左右方向に移動可能に連結され、また、下カーテンレール２４ｂにはカーテン２４の下端部が側面開口部２３に対して左右方向に移動可能に連結されている。また、各カーテン２４は、各側面開口部２３の略中央から左右方向に開閉可能なように２つに分割されている。
【００２５】
入浴用筐体２の底面部は、３本の支持脚４ａ、４ｂ、４ｃによって支持されており、本実施の形態では床面から約５７ｃｍの高さに支持されている。
【００２６】
入浴用筐体２内には、図４に示すように、湯水を噴射する本体シャワーとしての複数のシャワーノズル５ａ、５ｂが設けられている。具体的には、各側面開口部２３よりも高い位置に配置される上部のシャワーノズル５ａと、各側面開口部２３よりも低い位置に配置される下部のシャワーノズル５ｂとが設けられている。
【００２７】
上部のシャワーノズル５ａは入浴用筐体２内の上部の左右両側面に、入浴用筐体２の長手方向に沿って間隔をあけて４個設けられている。同様に、下部のシャワーノズル５ｂも入浴用筐体２内の下部の左右両側面に、入浴用筐体２の長手方向に沿って間隔をあけて４個設けられている。これらの上部のシャワーノズル５ａ及び下部のシャワーノズル５ｂにより、入浴用筐体２内に収容された入浴者Ａの肩部から足先までの広い範囲にわたって湯水を噴射できる。なお、上部のシャワーノズル５ａ及び下部のシャワーノズル５ｂの数及び配置位置は、入浴用筐体２の大きさや形状に応じて任意に設定することができる。
【００２８】
入浴用筐体２内の底面部には、排水溝２５が形成されている。この排水溝２５は、入浴用筐体２内の底面部の幅方向（図４の左右方向）の中間位置において入浴用筐体２の長手方向に細長く伸びており、排水溝２５の一方の端部（収容開口部２１と反対側）は、入浴用筐体２の下外面に設けた外部への排出口２６（図１参照）に連なっている。
【００２９】
また、入浴用筐体２内の底面部は、その幅方向（図４の左右方向）について、排水溝２５が形成されている中間位置が左右方向両側よりも低くなるように傾斜が設けられていると共に、入浴用筐体２の長手方向について、収容開口部２１側の方がその反対側よりも高くなるように傾斜が設けられている。これにより、入浴用筐体２内にシャワーノズル５ａ、５ｂから噴射された湯水等は排水溝２５に集められ、排水溝２５を通って排出口２６に至り、入浴用筐体２の外部へ排出される。
【００３０】
入浴用筐体２の外部には、供給管Ｐを介してシャワーノズル５ａ、５ｂに湯水を供給すると共にその供給状態を制御する給湯制御装置６が設置されている（図１参照）。この給湯制御装置６は、図５に示すように、水道（水供給源）Ｃ及び給湯器（湯供給源）Ｈと接続されており、この水道Ｃ及び給湯器Ｈから給湯制御装置６に対してそれぞれ水と湯とが供給される。
【００３１】
給湯制御装置６に供給された水は、開閉電磁弁６０ａを通過した後、給湯制御装置６内の減圧装置６１ａで減圧され、２つの給湯路６２ａ、６２ｂに分岐されて送出される。同様に、給湯制御装置６に供給された湯は、開閉電磁弁６０ｂを通過した後、給湯制御装置６内の減圧装置６１ｂで減圧され、２つの給湯路６３ａ、６３ｂに分岐されて送出される。
【００３２】
分岐した一方の給湯路６２ａに送出された水と、分岐した一方の給湯路６３ａに送出された湯とは、ハンドシャワー用混合弁６４ａによって混合され、給湯制御装置６の外面に設けられたハンドシャワー６５の給湯路６６ｄに供給される。ハンドシャワー６５には、図６に示すように、噴射口６５ａからの湯水噴射のオン（湯水の噴射可能状態）とオフ（湯水の噴射停止）の切り替えを手動で行うことができる手元スイッチ６５ｂがシャワー本体６５ｃの下部側に設けられている。
【００３３】
また、分岐した他方の給湯路６２ｂに送出された水と、分岐した他方の給湯路６３ｂに送出された湯とは、本体シャワー用混合弁６４ｂによって混合され、入浴用筐体２内に設けられたシャワーノズル５ａ、５ｂの給湯路６６に供給される。
【００３４】
本体用シャワー混合弁６４ｂの下流側の給湯路６６はその下流側で３つの給湯路６６ａ、６６ｂ、６６ｃに分岐し、そのうちの２つの給湯路６６ａ、６６ｂはシャワーノズル５ａ、５ｂに接続されている。また、残りの１つの給湯路６６ｃは排水口Ｄに接続されている。これら給湯路６６ａ、６６ｂ、６６ｃには、各給湯路６６ａ、６６ｂ、６６ｃを開閉する開閉電磁弁６７ａ、６７ｂ、６７ｃがそれぞれ設けられている。
【００３５】
ハンドシャワー混合弁６４ａの下流側の給湯路６６ｄには、該給湯路６６ｄを開閉する開閉電磁弁６７ｄが設けられており、その下流側にはハンドシャワー６５が設けられている。また、給湯路６６ｄの開閉電磁弁６７ｄの上流側には、給湯路６６ｄ内の湯水の温度を検知する２つの温度検知センサＴＳ１、ＴＳ２と、給湯路６６ｄ内での湯水の流れの有無を検知するフローセンサＦＳが設けられており、湯水の温度検知情報と流れの有無情報は制御部６８に送信される。本実施の形態で用いたフローセンサＦＳは、フローセンサＦＳ内を所定量以上の湯水が流れるとその流れによって磁石が接点側に移動して通電状態となることによって、湯水が流れていることを検知することができる。
【００３６】
本体シャワー用混合弁６４ｂの下流側の給湯路６６には、給湯路６６内の湯水の温度を検知して制御部６８に送信する２つの温度検知センサＴＳ３、ＴＳ４が設けられており、検知した温度検知情報が制御部６８に送信される。また、給湯路６６の温度検知センサＴＳ３、ＴＳ４よりも上流側には、給湯路６６内の湯水の圧力を検知して制御部６８に送信する圧力検知センサＰＳが設けられている。
【００３７】
この圧力検知センサＰＳによる所定圧力値未満の圧力検知情報が送信された場合、それを受信した制御部６８は開閉電磁弁６７ａ、６７ｂを制御してシャワーノズル５ａ、５ｂに接続された各給湯路６６ａ、６６ｂを閉じると共に、開閉電磁弁６７ｃを制御して排水口Ｄに接続された給湯路６６ｃを開き、湯水を排水口Ｄから給湯制御装置６外に排出する。
【００３８】
また、給湯路６６の温度検知検知センサＴＳ３、ＴＳ４よりも下流側で、かつ３つの給湯路６６ａ、６６ｂ、６６ｃの分岐位置よりも上流側には、２本の吸引ホース６９ａ、６９ｂが接続されている。これら２本の吸引ホース６９ａ、６９ｂの先端は、ボディシャンプー８０が入っているシャンプータンクＴ１と消毒液８１が入っている消毒液タンクＴ２にそれぞれ挿入されている。
【００３９】
２本の吸引ホース６９ａ、６９ｂは、それぞれチューブポンプＴＰ１、ＴＰ２を備えており、これにより、シャンプータンクＴ１内のボディシャンプー８０又は消毒液タンクＴ２内の消毒液８１を、シャワーノズル５ａ、５ｂの給湯路６６に供給することができる。２つのチューブポンプＴＰ１、ＴＰ２は制御部６８によって制御される。
【００４０】
同様に、給湯路６６ｄのフローセンサＦＳよりも下流側で、かつ開閉電磁弁６７ｄよりも上流側には、吸引ホース６９ｃが接続されており、この吸引ホース６９ｃの先端は消毒液タンクＴ２に挿入されている。この吸引ホース６９ｃは制御部６８によって制御されるチューブポンプＴＰ３を備えており、これにより、消毒液タンクＴ２内の消毒液８１をハンドシャワー６５の給湯路６６ｄに供給することができる。
【００４１】
給湯制御装置６には、図１に示すように、この給湯制御装置６による湯水の供給状態の制御を遠隔操作可能な遠隔操作装置７が、リモコンケーブル７０を介して接続されている。この遠隔操作装置７の操作パネル７１を入浴補助者Ｂ等の操作者が操作することにより、その操作に応じた操作信号が遠隔操作装置７からリモコンケーブル７０を介して給湯制御装置６の制御部６８に送信される。
【００４２】
遠隔操作装置７の操作パネル７１は、図７に示すように、操作者が押圧することでオン・オフの切り替えや設定温度の上下を行うボタン類と、ＬＥＤ（発光ダイオード）の点灯により給湯制御装置６の作動状態を表示するＬＥＤ表示部類と、７セグメント表示で湯温等を表示する７セグ表示部類とで構成される。
【００４３】
具体的には、操作パネル７１のボタン類は、電源のオン・オフを切り替える電源ボタン７２ａと、シャワーノズル５ａ、５ｂからの湯水の出湯のオン・オフを切り替えるシャワー装置出湯ボタン７２ｂと、シャワー装置出湯ボタン７２ｂの左側に設けられてシャワーノズル５ａ、５ｂから出湯する湯水の設定温度を１度刻みに高くするシャワー装置湯温プラスボタン７２ｃ及び１度刻みに低くするシャワー装置湯温マイナスボタン７２ｄと、ハンドシャワー６５からの湯水の出湯のオン・オフを切り替えるハンドシャワー出湯ボタン７２ｅと、ハンドシャワー出湯ボタン７２ｅの左側に設けられてハンドシャワー６５から出湯する湯水の設定温度を１度刻みに高くするハンドシャワー湯温プラスボタン７２ｆ及び１度刻みに低くするハンドシャワー湯温マイナスボタン７２ｇと、ボディシャンプー８０をシャワーノズル５ａ、５ｂの給湯路６６に供給される湯水に混入させるシャンプーボタン７２ｈと、消毒液８１をシャワーノズル５ａ、５ｂの給湯路６６に供給される湯水に混入させるシャワー装置消毒液ボタン７２ｉと、入浴者Ａを入浴用筐体２内に収容する前に入浴用筐体２内を予め暖める目的で所定時間だけシャワーノズル５ａ、５ｂから湯水を噴射させる暖気運転ボタン７２ｊと、消毒液８１をハンドシャワー６５の給湯路６６ｄに供給される湯水に混入させるハンドシャワー消毒液ボタン７２ｋとを備えている。
【００４４】
これらボタン類を操作者が押圧すると、そのボタン操作に対応する操作信号がリモコンケーブル７０を介して給湯制御装置６の制御部６８に送信され、制御部６８はその操作信号に応じて、開閉電磁弁６０ａ、６０ｂ、ハンドシャワー用混合弁６４ａ、本体シャワー用混合弁６４ｂ、開閉電磁弁６７ａ、６７ｂ、６７ｃ、６７ｄ、及びチューブポンプＴＰ１、ＴＰ２、ＴＰ３等を制御する。
【００４５】
また、操作パネル７１のＬＥＤ表示部類は、電源ボタン７２ａの範囲内に設けられて電源がオン状態であることを示す電源表示ＬＥＤ７３ａと、給湯路６６、６６ｄ内の湯水の状態がそれぞれ準備中（適温でない）、適温、水圧不足であることを示す３つの湯水状態表示ＬＥＤ７３ｂ、７３ｃ、７３ｄと、シャワー装置出湯ボタン７２ｂの右側に設けられてシャワーノズル５ａ、５ｂから出湯状態であることを示すシャワー装置出湯表示ＬＥＤ７３ｅと、ハンドシャワー出湯ボタン７２ｅの右側に設けられてハンドシャワー６５から出湯状態であることを示すハンドシャワー出湯表示ＬＥＤ７３ｆと、シャンプーボタン７２ｈの左上及び右上に設けられて、それぞれシャワーノズル５ａ、５ｂの給湯路６６に供給される湯水にボディシャンプー８０が混入されていること及びシャンプータンクＴ１内のボディシャンプー８０の残量が少ないことを示すシャンプー状態表示ＬＥＤ７３ｇ１、７３ｇ２と、シャワー装置消毒液ボタン７２ｉの左上及び右上に設けられて、それぞれノズル５ａ、５ｂの給湯路６６に供給される湯水に消毒液８１が混入されていること及び消毒液タンクＴ２内の消毒液８１の残量が少ないことを示す消毒液状態表示ＬＥＤ７３ｈ１、７３ｈ２と、暖気運転ボタン７２ｊの左上に設けられて暖機運転のためのシャワー噴射が行われていることを示す暖機運転状態表示ＬＥＤ７３ｉと、ハンドシャワー消毒液ボタン７２ｋの左上及び右上に設けられてそれぞれハンドシャワー６５の給湯路６６ｄに供給される湯水に消毒液８１が混入されていること及び消毒液タンクＴ２内の消毒液８１の残量が少ないことを示すハンドシャワー消毒液状態表示ＬＥＤ７３ｊ１、７３ｊ２とを備えている。
【００４６】
なお、上記各ボタン７２ｈ、７２ｉ、７２ｊ、７２ｋの左上のＬＥＤ７３ｇ１、７３ｈ１、７３ｉ、７３ｊ１には緑色ＬＥＤをそれぞれ使用し、右上のＬＥＤ７３ｇ２、７３ｈ２、７３ｊ２には赤色ＬＥＤをそれぞれ使用している。これらＬＥＤ表示部類は、リモコンケーブル７０を介して給湯制御装置６の制御部６８から送信されてくる制御信号によってその点灯が制御される。
【００４７】
また、操作パネル７１の７セグ表示部類は、シャワーノズル５ａ、５ｂから実際に出湯している湯水の温度等を７セグメントで表示するシャワー装置湯温表示部７４ａと、ハンドシャワー６５から実際に出湯している湯水の温度等を７セグメントで表示するハンドシャワー湯温表示部７４ｂとで構成されている。シャワー装置湯温表示部７４ａには、通常時、温度検知センサＴＳ３の検知温度が表示される。ただし、２つの温度検知センサＴＳ３、ＴＳ４によって検知される２つの温度の差が所定値以上の場合には、制御部６８は少なくとも１つの温度検知センサＴＳ３又はＴＳ４が故障していると判断し、エラー表示を行う。
【００４８】
また、シャワー装置湯温プラスボタン７２ｃ又はシャワー湯温マイナスボタン７２ｄが押圧された場合には、シャワーノズル５ａ、５ｂから噴射される湯水の設定温度が５秒間表示される。これと同様に、ハンドシャワー湯温表示部７４ｂには、通常時、温度検知センサＴＳ１の検知温度が表示される。ただし、２つの温度検知センサＴＳ１、ＴＳ２によって検知される２つの温度の差が所定値以上の場合には、制御部６８は少なくとも１つの温度検知センサＴＳ１又はＴＳ２が故障していると判断し、エラー表示を行う。
【００４９】
また、ハンドシャワー湯温プラスボタン７２ｆ又はハンドシャワー湯温マイナスボタン７２ｇが押圧された場合には、ハンドシャワー６５から噴射される湯水の設定温度が５秒間表示される。
【００５０】
これら操作パネル７１を構成するボタン類、ＬＥＤ表示部類及び７セグ表示部類と制御部６８による制御の関係を、以下に説明する。
【００５１】
給湯制御装置６の電源コンセント（不図示）を商用電源に接続した状態で電源ボタン７２ａが押圧されると、これに対応する操作信号を受信した制御部６８は、商用電源からの電力の各部への供給をオン状態に切り替え、電源表示ＬＥＤ７３ａを点灯制御して開閉電磁弁６０ａ、６０ｂを開状態に制御すると共に、シャワー装置湯温表示部７４ａ及びハンドシャワー湯温表示部７４ｂに温度表示させる。また、電源オンの状態で電源ボタン７２ａが再度押圧されると、これに対応する操作信号を受信した制御部６８は、開閉電磁弁６０ａ、６０ｂを閉状態に制御して電源表示ＬＥＤ７３ａを消灯制御すると共に、商用電源からの電力の各部への供給をオフ状態に切り替える。
【００５２】
また、シャワーノズル５ａ、５ｂからの湯水の出湯がオフ状態のときにシャワー装置出湯ボタン７２ｂが押圧されると、これに対応する操作信号を受信した制御部６８は、温度検知センサＴＳ３、ＴＳ４の温度検知結果がシャワー装置湯温プラスボタン７２ｃ及びシャワー装置湯温マイナスボタン７２ｄで設定された設定温度になっており、かつ圧力検知センサＰＳの圧力検知結果が所定圧力値以上の場合には、シャワー装置出湯表示ＬＥＤ７３ｅを点灯制御して開閉電磁弁６７ａ、６７ｂを開状態に制御し（開閉電磁弁６７ｃは初期状態の閉状態のまま）、シャワーノズル５ａ、５ｂの給湯路６６に湯水を供給する。
【００５３】
このとき、同時に湯水状態表示ＬＥＤ７３ｃが点灯制御されて湯水が適温であることが報知される。温度検知センサＴＳ３、ＴＳ４の温度検知結果がシャワー装置湯温プラスボタン７２ｃ又はシャワー装置湯温マイナスボタン７２ｄで設定された設定温度になっていない場合には、制御部６８は、開閉電磁弁６７ｃを開状態に制御し（開閉電磁弁６７ａ、６７ｂは初期状態の閉状態のまま）、湯水を排水口Ｄから排出すると共に、湯水状態表示ＬＥＤ７３ｂを点灯制御し、湯水を準備中であることを報知する。
【００５４】
また、圧力検知センサＰＳの圧力検知結果が所定圧力値未満の場合には、制御部６８は、開閉電磁弁６７ｃを開状態に制御し（開閉電磁弁６７ａ、６７ｂは初期状態の閉状態のまま）、湯水を排水口Ｄから排出すると共に、湯水状態表示ＬＥＤ７３ｄを点灯制御し、湯水が水圧不足であることを報知する。また、シャワーノズル５ａ、５ｂからの混合水の出湯がオン状態のときにシャワー装置出湯ボタン７２ｂが押圧されると、これに対応する操作信号を受信した制御部６８は、シャワー装置出湯表示ＬＥＤ７３ｅを消灯制御して開閉電磁弁６７ａ、６７ｂ、６７ｃを閉状態に制御し、シャワーノズル５ａ、５ｂの給湯路６６に湯水の供給を停止する。
【００５５】
また、シャワー装置湯温プラスボタン７２ｃ又はシャワー装置湯温マイナスボタン７２ｄが押圧されると、これに対応する操作信号を受信した制御部６８は、制御部６８に有するＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）の所定領域に記憶されているシャワーノズル５ａ、５ｂからの湯水の設定温度をそれぞれ１度高く又は１度低く書き換えると共に、その書き換えた設定温度をシャワー装置湯温表示部７４ａに５秒間表示させる。なお、上記ＥＥＰＲＯＭはバックアップ電源（不図示）を備えている。
【００５６】
また、ハンドシャワー６５からの湯水の出湯がオフ状態のときにハンドシャワー出湯ボタン７２ｅが押圧されると、これに対応する操作信号を受信した制御部６８は、温度検知センサＴＳ１、ＴＳ２の温度検知結果がハンドシャワー湯温プラスボタン７２ｆ又はハンドシャワー湯温マイナスボタン７２ｇで設定された設定温度になっている場合には、ハンドシャワー出湯表示ＬＥＤ７３ｆを点灯制御すると共に、所定時間だけ開閉電磁弁６７ｄを開状態に制御してハンドシャワー６５の給湯路６６ｄに湯水を供給する。
【００５７】
また、温度検知センサＴＳ３、ＴＳ４の温度検知結果がシャワー装置湯温プラスボタン７２ｃ又はシャワー装置湯温マイナスボタン７２ｄで設定された設定温度になっていない場合には、制御部６８は、開閉電磁弁６７ｃを閉状態に制御する。また、ハンドシャワー６５からの湯水の出湯がオン状態のときにハンドシャワー出湯ボタン７２ｅが押圧されると、これに対応する操作信号を受信した制御部６８は、ハンドシャワー出湯表示ＬＥＤ７３ｆを消灯制御し、開閉電磁弁６７ｄを閉状態に制御してハンドシャワー６５への湯水の供給を停止する。
【００５８】
また、ハンドシャワー湯温プラスボタン７２ｆ又はハンドシャワー湯温マイナスボタン７２ｇが押圧されると、これに対応する操作信号を受信した制御部６８は、制御部６８に有するＥＥＰＲＯＭの所定領域に記憶されているハンドシャワー６５からの湯水の設定温度をそれぞれ１度高く又は１度低く書き換えると共に、その書き換えた設定温度をハンドシャワー湯温表示部７４ｂに５秒間表示させる。
【００５９】
また、シャンプーボタン７２ｈ又はシャワー装置消毒液ボタン７２ｉ又はハンドシャワー消毒液ボタン７２ｋが押圧されると、これに対応する操作信号を受信した制御部６８は、その操作信号に応じたチューブポンプＴＰ１、ＴＰ２、ＴＰ３のいずれかが作動するように制御し、シャンプータンクＴ１内のボディシャンプー８０又は消毒液タンクＴ２内の消毒液８１を、それぞれ給湯路６６、６６ｄに供給する。このとき、制御部６８によって、シャンプー状態表示ＬＥＤ７３ｇ１又は消毒液状態表示ＬＥＤ７３ｈ１又はハンドシャワー消毒液状態表示ＬＥＤｊ１が点灯制御される。
【００６０】
また、暖気運転ボタン７２ｊが押圧されると、これに対応する操作信号を受信した制御部６８は、暖機運転状態表示ＬＥＤ７３ｉを点灯制御して所定時間だけ開閉電磁弁６７ａ、６７ｂを開状態に制御し（開閉電磁弁６７ｃは初期状態の閉状態のまま）、給湯路６６に湯水を供給してシャワーノズル５ａ、５ｂから湯水を噴射させて入浴用筐体２内を暖める。
【００６１】
また、上記した遠隔操作装置７は、図１及び図８（ａ）に示すように、給湯制御装置６に対して着脱できるようになっている。
【００６２】
具体的には、図８（ｂ）に示すように、遠隔操作装置７の背面に４つの真空吸盤７２が設けられており、この真空吸盤７２を給湯制御装置６の上面に吸着させることにより遠隔操作装置７を給湯制御装置６に対して装着することができ、また、装着状態の真空吸盤７２をその端から捲りあげることにより遠隔操作装置７を給湯制御装置６から離脱させることができる。また、遠隔操作装置７の真空吸盤７２による吸着を利用することにより、入浴用筐体２の外周面に対して遠隔操作装置７を着脱自在に装着することができる。
【００６３】
次に、上述した本実施の形態のシャワー入浴装置１で入浴補助者Ｂの補助により入浴者Ａをシャワー入浴させる手順について説明する。
【００６４】
先ず、入浴補助者Ｂは、例えば給湯制御装置６に装着した遠隔操作装置７の操作パネル７１の暖機運転ボタン７２ｊを押し、入浴用筐体２内に設けられたシャワーノズル５ａ、５ｂから入浴用筐体２内に所定の温度の湯水を所定時間噴射して入浴用筐体２内を暖める。
【００６５】
この暖気運転の終了後、入浴補助者Ｂは、入浴者Ａをストレッチャー３の担架部３３上に仰向けに寝かせ、ハンドル３４を把握して台車部３１が２本の後支持脚４ｂ、４ｃの間に進入するようにストレッチャー３を移動させる。これにより、ストレッチャー３の担架部３３とその上の入浴者Ａが収容開口部２１から入浴用筐体２内に収容される。このとき、入浴者Ａの身体の首から下の部分が入浴用筐体２内部に位置すると共に、入浴者Ａの頭部が入浴用筐体２の外部に位置し、カーテン２２により仕切られる。
【００６６】
そして、入浴補助者Ｂは、遠隔操作装置７を給湯制御装置６から取り外して例えば入浴用筐体２に装着し、操作パネル７１のシャワー装置出湯ボタン７２ｂを押す。これにより入浴用筐体２内に設けられたシャワーノズル５ａ、５ｂから、入浴者Ａの身体に対して湯水が噴射される。
【００６７】
この際、シャワーノズル５ａ、５ｂから噴射される湯水の設定温度は初期設定が例えば４０度になっているが、入浴補助者Ｂは入浴者Ａからの要望等に応じ、シャワー装置湯温プラスボタン７２ｃ又はシャワー装置湯温マイナスボタン７２ｄを押して所望の設定温度を調節する。また、必要に応じてシャンプーボタン７２ｈを押すことにより、制御部６８の制御によってチューブポンプＴＰ１を作動させてボディシャンプー８０を供給して湯水に混合し、シャワーノズル５ａ、５ｂからボディシャンプー８０を混合した湯水を噴射させるようにしてもよい。
【００６８】
そして、適当なシャワー入浴時間が経過したら、入浴補助者Ｂは操作パネル７１のシャワー装置出湯ボタン７２ｂを再度押す。これにより、入浴用筐体２内に設けられたシャワーノズル５ａ、５ｂからの湯水の噴射が停止する。
【００６９】
続いて入浴補助者Ｂは、必要に応じて入浴者Ａの身体の手洗いを行う。入浴補助者Ｂが入浴者Ａの身体を手洗いする場合、入浴補助者Ｂは、入浴用筐体２の両側面に形成した２つの側面開口部２３のうちの一方に取り付けているカーテン２４を開き、そこに頭から上半身を入れる。そして、その状態でハンドシャワー６５を用いて入浴者Ａの身体を手洗いする。
【００７０】
具体的には、操作パネル７１のハンドシャワー出湯ボタン７２ｅを押し、更に入浴補助者Ｂはハンドシャワー６５を握った状態でハンドシャワー６５の手元スイッチ６５ｂをオフ（湯水の噴射停止）の状態からオン（湯水の噴射可能状態）に手動で切り替えることにより、ハンドシャワー６５から入浴者Ａの身体の任意の部分に所定温度の湯水を噴射させて、入浴者Ａの身体を手洗いすることができる。なお、手元スイッチ６５ｂが最初からオン（湯水の噴射可能状態）になっている場合には、手元スイッチ６５ｂは操作しない。
【００７１】
そして、適当な手洗い時間が経過したら、入浴補助者Ｂは操作パネル７１のハンドシャワー出湯ボタン７２ｅを再度押す、又はハンドシャワー６５の手元スイッチ６５ｂをオン（湯水の噴射可能状態）からオフ（湯水の噴射停止）の状態に手動で切り替える、又はその両方の操作を行う。これにより、ハンドシャワー６５からの湯水の噴射が停止する。
【００７２】
なお、操作パネル７１のハンドシャワー出湯ボタン７２ｅは、給湯制御装置６の制御部６８で制御されるが、ハンドシャワー６５の手元スイッチ６５ｂは、入浴補助者Ｂによって手動で操作される。このため、手元スイッチ６５ｂがオフ（湯水の噴射停止）になっている状態のときには、操作パネル７１のハンドシャワー出湯ボタン７２ｅを押してもハンドシャワー６５から湯水が噴射されることはない。
【００７３】
そして、手洗いが終了すると入浴補助者Ｂは、ストレッチャー３のハンドル３４を把握して、台車部３１が２本の後支持脚４ｂ、４ｃの間から引き出されるようにストレッチャー３を移動させる。これにより、ストレッチャー３の担架部３３上の入浴者Ａが収容開口部２１から入浴用筐体２の外部に搬出されてシャワー入浴を終える。
【００７４】
そして、上記したようにしてシャワー入浴装置１による入浴者Ａのシャワー入浴を終えた後に、次の入浴者（被介護者）をシャワー入浴させる前に入浴用筐体２内を消毒液８１で殺菌消毒する。
【００７５】
具体的には、シャワー装置消毒液ボタン７２ｉを約３秒間以上押すことにより、制御部６８の制御によって給湯路６６に湯水が供給されると共に、チューブポンプＴＰ２の作動により吸引ホース６９ａを通して消毒液タンクＴ２内の消毒液８１を給湯路６６に供給して、消毒液８１を湯水に混合し、シャワーノズル５ａ、５ｂから消毒液８１を混合した湯水（混合液）を入浴用筐体２内に噴射させて、入浴用筐体２内を消毒する。
【００７６】
また、ハンドシャワー６５を用いて入浴用筐体２内を消毒する場合は、ハンドシャワー消毒液ボタン７２ｋを約３秒間以上押すことにより、制御部６８の制御によって給湯路６６ｄに湯水が供給されると共に、チューブポンプＴＰ３の作動により吸引ホース６９ｃを通して消毒液タンクＴ２内の消毒液８１を給湯路６６ｄに供給して、消毒液８１を湯水に混合し、ハンドシャワー６５から消毒液８１を混合した湯水（混合液）を入浴用筐体２内に噴射させて、入浴用筐体２内を消毒する。
【００７７】
なお、１日の入浴者の人数に応じて入浴用筐体２内の消毒を、所定回数又はその最後の入浴者がシャワー入浴を終えた後に１回だけ行うようにしてもよい。
【００７８】
そして、本発明の実施の形態におけるシャワー入浴装置１では、ハンドシャワー６５を用いて入浴用筐体２内を消毒する場合において、ハンドシャワー６５の給湯路６６ｄに設けたフローセンサＦＳから制御部６８に出力される湯水の流れの有無の検知情報に基づいて、制御部６８で消毒液８１を供給するチューブポンプＴＰ３の作動を制御するようにした。
【００７９】
即ち、ハンドシャワー６５を用いて入浴用筐体２内を消毒する際において、ハンドシャワー６５の手元スイッチ６５ｃがオン（湯水の噴射可能状態）になっている場合には、ハンドシャワー消毒液ボタン７２ｋを約３秒間以上押すと、給湯路６６ｄに湯水が供給されると共に、チューブポンプＴＰ３の作動により吸引ホース６９ｃを通して消毒液タンクＴ２内の消毒液８１が給湯路６６ｄに供給されることによって、ハンドシャワー６５の給湯路６６ｄに湯水と消毒液８１の混合液が流れるので、給湯路６６ｄに湯水が流れていることを知らせる情報がフローセンサＦＳから制御部６８に出力される。よって、このときには、制御部６８は入力されるこの情報に基づいてチューブポンプＴＰ３の作動を継続するように制御し、給湯路６６ｄに消毒液８１を供給する。
【００８０】
そして、ハンドシャワー６５を用いて入浴用筐体２内を消毒する際において、ハンドシャワー６５の手元スイッチ６５ｃがオフ（湯水の噴射停止）になっている場合には、ハンドシャワー６５の給湯路６６ｄに湯水が供給されないので、給湯路６６ｄに湯水が流れていないことを知らせる情報がフローセンサＦＳから制御部６８に出力される。制御部６８は、入力されるこの情報に基づいてチューブポンプＴＰ３が作動しないように制御し、給湯路６６ｄに消毒液８１を供給しないようにする。
【００８１】
このように本実施の形態のシャワー入浴装置１では、フローセンサＦＳで検知される給湯路６６ｄでの湯水の流れの有無に基づいて、消毒液８１を給湯路６６ｄに供給するチューブポンプＴＰ３の作動を制御することにより、ハンドシャワー６５を用いて入浴用筐体２内を消毒する際において、ハンドシャワー６５の手元スイッチ６５ｃがオフ（湯水の噴射停止）になっている場合には、チューブポンプＴＰ３の作動を停止して消毒液８１の給湯路６６ｄへの供給を停止することができるので、チューブポンプＴＰ３に異常負荷がかかるのを防止することができる。
【００８２】
また、上記のハンドシャワー６５の手元スイッチ６５ｃは、オン（湯水の噴射可能状態）とオフ（湯水の噴射停止）の２つの状態を有する構成であったが、手元スイッチ６５ｃがオフ（湯水の噴射停止）からオン（湯水の噴射可能状態）の間で中間状態を有する構成でもよい。即ち、手元スイッチ６５ｃがオフ（湯水の噴射停止）と、湯水の噴射状態（オン状態）を最小から最大まで可変で調整可能な複数の状態を有する構成でもよい。
【００８３】
この場合、フローセンサＦＳは、手元スイッチ６５ｃの調整位置に応じて給湯路６６ｄに所定量の湯水の流れがあると検知した場合は、所定量の湯水が流れている情報を制御部６８に出力する。制御部６８は、入力されるこの情報にも基づいてチューブポンプＴＰ３を作動させ、流れている所定量の湯水に応じて消毒液８１を給湯路６６ｄに所定量供給するように調整する。なお、フローセンサＦＳは、手元スイッチ６５ｃの調整位置に応じて湯水が所定量以下の流れであると検知した場合は、制御部６８の制御によってチューブポンプＴＰ３の作動を停止して消毒液８１の給湯路６６ｄへの供給を停止する。
【００８４】
〈実施の形態２〉
本実施の形態では、ハンドシャワー６５の手元スイッチ６５ｃのオン／オフ動作を制御部６８で検知可能とした。
【００８５】
即ち、ハンドシャワー６５の手元スイッチ６５ｃと制御部６８とを信号線あるいはワイヤレスで接続することによって、手元スイッチ６５ｃのオン／オフ動作を制御部６８で検知可能となる。なお、ワイヤレスの場合は、手元スイッチ６５ｃ側に送信部、制御部６８側に受信部を有している。よって、本実施の形態の場合では、制御部６８は、入力される手元スイッチ６５ｃのオン／オフ動作によっても、消毒液８１を供給するチューブポンプＴＰ３の作動を制御するが可能となる。
【００８６】
また、上記実施の形態１では、ハンドシャワー６５から噴射される湯水の手元スイッチ６５ｃによる調節状態を検知する検知手段として、給湯路６６ｄ内の湯水の流れを検知するフローセンサＦＳを用いたが、これ以外にも、例えば給湯路６６ｄ内の圧力の変化で湯水の流れを検知する圧力センサや、給湯路６６ｄ内の湯水の流量の変化によって湯水の流れを検知する流量センサなども用いることができる。
【００８７】
また、上記実施の形態１では、ハンドシャワー６５の手元スイッチ６５ｃをシャワー本体６５ｃの下部側に設けた構成であったが、この位置に限定されることなく手元スイッチ６５ｃがシャワー本体６５ｃのどの位置にあってもよい。
【００８８】
また、上記実施の形態１では、液体が消毒液の場合であったが、これ以外にも液体が、ハンドシャワー６５の給湯路６６ｄ内にポンプの作動によって供給されるシャンプー、洗剤、ローションなどの場合でも同様に本発明を適用することができる。
【００８９】
また、上記実施の形態１では、本発明に係る入浴装置を入浴用筐体の側面に開口部（開口窓）を有するシャワー入浴装置に適用した例であったが、これ以外にも、例えば入浴用筐体の側面に開口部のない車椅子用のシャワー装置、入浴用筐体が浴槽となっている入浴装置、入浴用筐体の上部が蓋になっていて解放可能な入浴装置などにも適用することができる。
【００９０】
【発明の効果】
以上説明したように本発明によれば、ハンドシャワーから湯水と液体との混合液を入浴用筐体内に噴射する際において、制御手段は、検知手段の検知結果に基づいて液体供給手段の作動を制御することにより、検知手段が調整手段は湯水噴射不可能な状態に調整していると検知した場合には液体供給手段を非作動に制御することができるので、液体供給手段に異常負荷がかかることが防止され、液体供給手段の故障や破損を防止することができる。
【図面の簡単な説明】
【図１】本発明の実施の形態に係るシャワー入浴装置を示す概略構成図。
【図２】（ａ）は、ストレッチャー（担架）の構成を示す上面図、（ｂ）はストレッチャー（担架）の構成を示す側面図。
【図３】入浴用筐体を示す斜視図。
【図４】入浴補助者が入浴者のシャワー入浴の補助を行っている状態を説明するための図。
【図５】給湯制御装置の内部構成を示す配管ブロック図。
【図６】ハンドシャワーを示す斜視図。
【図７】操作パネルを示す平面図。
【図８】（ａ）は、遠隔操作装置を備えた給湯制御装置の外観を示す側面図、（ｂ）は、遠隔操作装置の背面側を示す斜視図。
【符号の説明】
１　　　シャワー入浴装置
２　　　入浴用筐体
３　　　ストレッチャー
５ａ、５ｂ　　　シャワーノズル（本体シャワー）
６　　　給湯制御装置
７　　　遠隔操作制御装置
２１　　収容開口部
２２　　カーテン
２３　　側面開口部（開口部）
２４　　カーテン
６５　　ハンドシャワー
６５ａ　噴出口
６５ｂ　手元スイッチ（調整手段）
６５ｃ　ハンドシャワー本体
６６ｄ　給湯路（供給路）
６８　　制御部（制御手段）
７１　　操作パネル
７２ｂ　シャワー装置出湯ボタン
７２ｅ　ハンドシャワー出湯ボタン
７２ｉ　シャワー装置消毒液ボタン
７２ｋ　ハンドシャワー消毒液ボタン
８１　　消毒液
Ａ　　　入浴者
Ｂ　　　入浴補助者
ＴＰ３　チューブポンプ（液体供給手段）
ＦＳ　　フローセンサ（検知手段）
【図１】
2004097351.tif 000003
【図２】
2004097351.tif 000004
【図３】
2004097351.tif 000005
【図４】
2004097351.tif 000006
【図５】
2004097351.tif 000007
【図６】
2004097351.tif 000008
【図７】
2004097351.tif 000009
【図８】
2004097351.tif 000010